(57)【要約】【課題】  汎用性が高く、対象となる水栓や水栓設備の使用者（使用者層）に変更を生じても、瞬時対応できるホースストッパを提供する。【課題手段】  シャワーヘッドを着脱自在に支持する支持部が設けられた水栓本体と、シャワーヘッドに接続されると共に収納部に対して水栓本体に設けられた挿通部を通じて引き出し可能な状態で収納されるホースと、を備えるホース収納型水栓に装着されるホースストッパ５０である。このホースストッパ５０は、収納部においてホースの外周面に着脱自在に装着され、ホースの引き出し量を所定量としたときに当接部に当接し、ホースの引き出し量が所定量を超えることを規制する。そして、このホースストッパ５０には、錘部材７０を取付可能な取付部５５が設けられている。【選択図】    図３
2006207255.tif 000002
【特許請求の範囲】
【請求項１】
所定の設置部に設置されると共に吐水具を着脱自在に支持する支持部が設けられた水栓本体と、
前記吐水具に接続されると共に、前記設置部の周囲に設けられた収納部に対して前記水栓本体に設けられた挿通部を通じて引き出し可能な状態で収納されるホースと、
を備える水栓に装着されるホースストッパであって、
前記ホースストッパは、前記収納部において前記ホースの外周面に着脱自在に装着され、該ホースの引き出し量を所定量としたときに、前記収納部に設けられた当接部に当接し、該ホースの引き出し量が該所定量を超えることを規制すると共に、
前記ホースストッパに、錘部材を取付可能な取付部を設けたことを特徴とするホースストッパ。
【請求項２】
端末部に吐水具が接続されると共に所定の収納部に引き出し可能な状態で収納されるホースに対して装着されるホースストッパであって、
前記ホースストッパは、前記ホースのうちで前記収納部に収納される所定の部位の外周面に装着され、該ホースの引き出し量を所定量としたときに、前記収納部に設けられた当接部に当接し、該ホースの引き出し量が該所定量を超えることを規制すると共に、
前記ホースストッパに、錘部材を取付可能な取付部を設けたことを特徴とするホースストッパ。
【請求項３】
前記取付部を、２箇所以上に備えることを特徴とする請求項１又は請求項２に記載のホースストッパ。
【請求項４】
前記ホースストッパが、樹脂若しくはゴムを用いた一体成形品であることを特徴とする請求項１乃至請求項３の何れかに記載のホースストッパ。
【請求項５】
前記ホースストッパは、前記ホースを軸心回りに周回する略環状の断面を備えることを特徴とする請求項１乃至請求項４の何れかに記載のホースストッパ。
【請求項６】
前記錘部材が略円形の断面を備えると共に、
略円弧状の保持面に該錘部材の外周面を接触させつつ、該錘部材を保持する保持部を、前記取付部が備えることを特徴とする請求項１乃至請求項５の何れかに記載のホースストッパ。
【請求項７】
前記錘部材が略円形の断面を備えると共に、
略円形の断面を備える略穴状、若しくは、略扇状の断面を備える略溝状の保持部を、前記取付部が備えることを特徴とする請求項１乃至請求項５の何れかに記載のホースストッパ。
【請求項８】
前記取付部のうちで、前記錘部材の取付箇所の両端側に位置する部位若しくは一端側に位置する部位に離脱防止部を設けたことを特徴とする請求項１乃至請求項７の何れかに記載のホースストッパ。
【発明の詳細な説明】
【技術分野】
【０００１】
本発明は、ホースストッパに関する。
【背景技術】
【０００２】
シャワーヘッド等の吐水具を端末部に接続したホースの中には、所定の収納部に引き出し可能な状態で収納されるものがある。例えば、デッキ部に設置される水栓本体と、水栓本体から流出する湯水の吐水を行うためのシャワーヘッドと、を備えるデッキタイプの水栓（ホース収納型水栓）が知られている。かかる水栓では、例えば、水栓本体から湯水を流出させる流出管をデッキ部の下方の収納部に向かって垂下させる。そして、この流出管の端末部とシャワーヘッドとを連絡するためのホースを、水栓本体に設けられた挿通部を通じて、収納部に引き出し可能に収納する構造等が採用されている。
【０００３】
このような水栓（ホース収納型水栓）においては、使用者によって引き出されるホースの量が多くなり過ぎると、ホースに破損を生じたり、ホースの始端部と流出管の端末部とが離脱する等不具合を生ずる可能性がある。このため、ホースの引き出し量が過量となることを防止するために、ホースにホースストッパを装着すること行われている。
【０００４】
例えば、デッキ部の下方に略筒状のガイド部材を配置し、ホースをガイド部材に挿通する。そして、このホースのうちで、ガイド部材よりも上流側（吐水方向に沿った上流側）に位置する所望の部位に略筒状のホースストッパを装着する。そして、ホースの引き出し量を所定量としたときに、ホースストッパが、ガイド部材に当接する。これにより、ホースの引き出し量が所定量を超えることが規制される（特許文献１を参照）。
【特許文献１】実公昭６０−１６６８３号公報
【発明の開示】
【発明が解決しようとする課題】
【０００５】
ところで、この従来例によると、個々の水栓（対象となるホース）毎の使用者層を考慮して、重量の異なるホースストッパを使い分けることが必要である。例えば、腕力の弱い者（老人、小学生、幼児等）によって使用者層が構成される水栓（ホース）においては、軽めの素材（樹脂等）で構成されたホースストッパを選択することが必要となる。また、腕力の強い者（青年男子等）によって使用者層が構成される水栓（ホース）においては、重めの素材（金属等）で構成されたホースストッパを選択することが必要となるからである。
【０００６】
しかし、このような使い分けを行うことは、水栓の施工業者や使用者等にとって煩雑であるばかりか、多種類のホースストッパを在庫として用意することが必要となる等の問題を有している。
【０００７】
また、この従来例によると、既設の水栓（ホース収納型水栓）において使用者の変更を生じた場合、ホースストッパ全体を異なるものに取り替えること等が必要となる。例えば、賃貸住宅において、賃貸人の変更を生じた場合（例えば、老人から青年男子に変わった場合）に、ストッパ全体を取り替えることが必要となる。よって、従来のホースストッパでは、対象となる水栓や水栓設備（シャワー装置等の水栓を使用した設備）に使用者（使用者層）の変更を生じ場合、この変更に瞬時に対応することができないという問題も有している。
【０００８】
本発明は、上述の課題を解決するものであり、汎用性が高く、しかも、対象となる水栓や水栓設備の使用者（使用者層）に変更を生じても、瞬時に対応できるホースストッパを提供すること目的とする。
【課題を解決するための手段】
【０００９】
請求項１の発明のホースストッパは、
所定の設置部に設置されると共に吐水具を着脱自在に支持する支持部が設けられた水栓本体と、
前記吐水具に接続されると共に、前記設置部の周囲に設けられた収納部に対して前記水栓本体に設けられた挿通部を通じて引き出し可能な状態で収納されるホースと、
を備える水栓に装着されるホースストッパであって、
前記ホースストッパは、前記収納部において前記ホースの外周面に着脱自在に装着され、該ホースの引き出し量を所定量としたときに、前記収納部に設けられた当接部に当接し、該ホースの引き出し量が該所定量を超えることを規制すると共に、
前記ホースストッパに、錘部材を取付可能な取付部を設けたことを特徴とする。
【００１０】
請求項２の発明のホースストッパは、
端末部に吐水具が接続されると共に所定の収納部に引き出し可能な状態で収納されるホースに対して装着されるホースストッパであって、
前記ホースストッパは、前記ホースのうちで前記収納部に収納される所定の部位の外周面に装着され、該ホースの引き出し量を所定量としたときに、前記収納部に設けられた当接部に当接し、該ホースの引き出し量が該所定量を超えることを規制すると共に、
前記ホースストッパに、錘部材を取付可能な取付部を設けたことを特徴とする。
【００１１】
請求項１及び請求項２の発明によると、取付部に錘部材を取り付けたり、取付部から錘部材を取り外すことで、ホースストッパ（錘部材付きのホースストッパ）の重量を調節できる。このため、個々のホースストッパを汎用的に使用することができる。また、対象となる水栓や水栓設備において、使用者（使用者層）の変更を生じた場合も、ホースストッパ（錘部材付きのホースストッパ）の重量を調節することで、瞬時に対応することができる。
【００１２】
尚、請求項１及び請求項２の発明では、錘部材をホースストッパに一体化でき、錘部材及びホースストッパの取り扱い（施工、運搬、保管等）が容易となるという特徴も備えている。例えば、本発明者らの知見によると、ホースに対して、このホースストッパとは別体の錘を取り付けたり、取り外したりすれば、当該ホースの「重さ」を調節することができる。しかし、この態様によると、水栓の使用者や施工業者等が取り扱うべき（施工、運搬、保管等すべき）部品点数が多くなり、ホースストッパ等の取り扱いが煩雑化するという問題を有している。一方、請求項１及び請求項２の発明では、錘部材がホースストッパに一体化されているため、ホースストッパ等の取り扱いが容易となる。
【００１３】
ここで、請求項１の発明では、ホースストッパを「挿通部を備える水栓」に適用した態様を示しているが、請求項２の発明のホースストッパの適用対象は、これに限定されない。つまり、請求項２の発明のホースストッパは、挿通部を備える水栓のみならず、挿通部を備えない水栓等にも適用できる。例えば、設置部等や、水栓設備（シャワー装置等）の外郭部に設けられた挿通部を通じて（水栓本体には挿通されず）、収納部に引き出し可能に収納されてもよい。
【００１４】
各請求項の発明の「吐水具」は、シャワー吐水を行うためのシャワーヘッドに限定されるものでなく、種々の態様の吐水（通常吐水、泡沫吐水等）を行うための吐水ヘッド等が含まれる。また、各請求項の発明の「設置部」としては、例えば、デッキ部（台部）、壁部等を例示できる。また、「設置部の裏側」としては、例えば、デッキ部（台部）の下方や、壁部の後方（背後）等を例示できる。
【００１５】
請求項２の発明のホースストッパは、ホースに対して着脱自在に装着されているか否かを特に問わない。但し、請求項１の発明のホースストッパと同様に、着脱自在とすれば、ホースに対する装着位置を、現場施工によって瞬時に変更できる。つまり、現場施工によって、ホースストッパの装着位置を適宜変更し、ホースの引き出し量を瞬時に変更できるため、より好適である。
【００１６】
各請求項の発明において、「当接部」の具体的な構成は特に問わないが、例えば、設置部の裏面等で構成したり、設置部の裏側に配置される筒状の部材（ガイド部材等）によって構成することができる。この場合、このホースのうちで、筒状の部材よりも上流側（吐水方向に沿った上流側）に位置する所望の部位にホースストッパを装着する。そして、ホースの引き出し量を所定量としたときに、ホースストッパを、筒状の部材（例えば、筒状の部材の端部）に当接させる態様を例示できる。
【００１７】
請求項１及び請求項２の発明において、取付部は、単数であっても、複数であってもよい。そして、単数の場合、錘部材を取り付けるか否かを選択したり、取付部の取り付ける錘部材の重さを選択することで、ホースストッパ（錘部材付きホースストッパ）の重量調節を行うことができる。また、複数の場合、錘部材を取り付けるか否かを選択したり、ホースストッパに取り付ける錘部材の数を選択したり、取付部の取り付ける錘部材の重さを選択することで、ホースストッパ（錘部材付きホースストッパ）の重量調節を行うことができる。
【００１８】
尚、各請求項の発明においては、ホースストッパを弾性を備える素材（請求項４の樹脂やゴム等）で構成し、錘部材を金属等の剛性の高い素材で構成することができるが、かかる場合において、錘部材の取付位置を以下のように定めると、より好適である。つまり、ホースストッパのうちで、当接部と当接することになる部位（以下、「被当接部」という。）を避けつつ、錘部材をホースストッパに取り付けることが望ましい。例えば、ホースストッパの前端部が被当接部を構成する場合には、ホースストッパのうちで、前端部よりも後退した位置に、錘部材の前端部が存在することが望ましい。この態様によると、剛性の高い錘部材（錘部材の前端部）が当接部に当接することを防止できるため（弾性素材で構成されるホースストッパが、専ら、当接部に当接するため）、騒音（錘部材が当接部に当接することによる騒音）の発生を防止できる。
【００１９】
請求項３の発明のホースストッパは、請求項１又は請求項２に記載のホースストッパにおいて、
前記取付部を、２箇所以上に備えることを特徴とする。
【００２０】
請求項３の発明のホースストッパでは、取付部を複数備えるため、「錘部材付きホースストッパ」の重量の選択の自由度が増大する。ここで、請求項３においては、各取付部に取り付けられる錘部材の重量が統一されてもよいが、各取付部に取り付けられる錘部材の重量に変化を加えてもよい。例えば、種々のサイズの取付部を設けると共に、比重が同じ（材質が同じ）であるが、サイズ、重量の異なる錘部材を取り付けてもよいし、サイズが統一された各取付部に、サイズが同じで、比重が異なる（材質が異なる）錘部材を取り付けてもよい。
【００２１】
請求項４の発明のホースストッパは、請求項１乃至請求項３の何れかに記載のホースストッパにおいて、
前記ホースストッパが、樹脂若しくはゴムを用いた一体成形品であることを特徴とする。
【００２２】
請求項４の発明では、ホースストッパ（取付部を含めて）を一体成形するため、このホースストッパの製造や、取り扱いが容易となる。また、本発明では、ホースストッパを弾性素材で構成し、ホースストッパ全体の弾性を保持しつつも、錘部材の取付によって、ホースストッパ（錘部材付きホースストッパ）の重量を重くできる点で大きな意義を有する。
【００２３】
請求項５の発明のホースストッパは、請求項１乃至請求項４の何れかに記載のホースストッパにおいて、
前記ホースストッパは、前記ホースを軸心回りに周回する略環状の断面を備えることを特徴とする。
【００２４】
請求項５の発明では、ホースストッパを略筒状等に設ける態様を例示している。そして、請求項５の発明によると、ホースストッパを周回する状態に取付部を設けることができるため、１つのホースストッパに多数の取付部を設けることが容易である。
【００２５】
請求項６の発明のホースストッパは、請求項１乃至請求項５の何れかに記載のホースストッパにおいて、
前記錘部材が略円形の断面を備えると共に、
略円弧状の保持面に該錘部材の外周面を接触させつつ、該錘部材を保持する保持部を、前記取付部が備えることを特徴とする。
【００２６】
請求項６の発明では、錘部材を軸心回りに回転対称な形状（例えば、略円柱形状、略円錐形状、若しくは、略円錐台形状等）に構成すると共に、取付部が、この錘部材を好適に保持できる保持部を備える。よって、請求項６の発明によると、錘部材を取付部に取り付ける作業を容易に行うことができる。
【００２７】
尚、請求項６の発明においては、取付部に設けられる保持部の数は、単数であってもよいし、複数（例えば、２〜５個のうちの何れか）であってもよい。より具体的には、錘部材の両端側を２つの保持部で保持したり、錘部材の軸心方向に沿った３箇所以上を、各箇所に対応する保持部で保持してもよい。また、請求項６の発明において、保持面の全域が錘部材と接触する態様（例えば、保持面と錘部材の外周面との間にクリアランスを設けない態様）としてもよいし、保持部の保持面の一部が錘部材と接触する態様（例えば、保持面と錘部材の外周面との間にクリアランスを設ける態様）としてもよい。
【００２８】
請求項７の発明のホースストッパは、請求項１乃至請求項５の何れかに記載のホースストッパにおいて、
前記錘部材が略円形の断面を備えると共に、
略円形の断面を備える略穴状、若しくは、略扇状の断面を備える略溝状の保持部を、前記取付部が備えることを特徴とする。
【００２９】
請求項７の発明においても、錘部材を軸心回りに回転対称な形状（例えば、略円柱形状、略円錐形状、若しくは、略円錐台形状等）に構成すると共に、取付部が、この錘部材を好適に保持できる保持部を備える。よって、請求項７の発明によっても、錘部材を取付部に取り付ける作業を容易に行うことができる。尚、請求項７の発明においても、取付部に設けられる保持部の数は、単数であってもよいし、複数（例えば、２〜５個のうちの何れか）であってもよい。
【００３０】
また、請求項７の発明においても、保持部の内壁面は、その全域が錘部材と接触する態様（例えば、内壁面と錘部材の外周面との間にクリアランスを設けない態様）としてもよいし、保持部の内壁面の一部が錘部材と接触する態様（例えば、内壁面と錘部材の外周面との間にクリアランスを設ける態様）としてもよい。尚、請求項７の発明の「略穴状」に構成される保持部は、両端を開放させた略円柱空間型の穴（孔）を用いた保持部であっても、一端を開放させ、他端を閉塞した略円柱空間型の穴を用いた保持部であってもよい。
【００３１】
請求項８の発明のホースストッパは、請求項１乃至請求項７の何れかに記載のホースストッパにおいて、
前記取付部のうちで、前記錘部材の取付箇所の両端側に位置する部位若しくは一端側に位置する部位に離脱防止部を設けたことを特徴とする。
【００３２】
請求項８の発明によると、取付部に取り付けられた錘部材が、その軸線方向に移動し、取付部から離脱しようとすると、錘部材の移動方向に沿った端部が離脱防止部に当接する。このため、錘部材が取付部から不用意に離脱する（脱落する）ことが防止され、ホースストッパの利便性が更に一層、向上する。例えば、ホースストッパの使用時や、ホースストッパをホースに装着する際に、錘部材が不用意に離脱することを防止できるため、ホースストッパの利便性が更に一層、向上する。ここで、離脱防止部は、取付部のうちで、錘部材の取付箇所の両端側に設けてもよいが、一端側に設けてもよい。例えば、ホースストッパが、錘部材の軸線を上下（斜め上下も含む）に向けた状態に使用される場合においては、錘部材の下端側に位置する側のみに離脱防止部を設けても、請求項８の発明の効果を得ることができるからである。また、離脱防止部は、取付部に一体的に設けられてもよいし、取付部に装着される別体の部材で構成されてもよい。
【００３３】
尚、請求項１〜請求項８の発明の応用発明として、「請求項１乃至請求項８の何れかに記載のホースストッパを備えることを特徴とする水栓設備」を例示できる。この水栓設備には、「水栓」の他に、水栓を一部に含む装置（シャワー装置、歯科等で使用する口内洗浄装置等）も含まれる。
【発明の効果】
【００３４】
以上のように、各請求項の発明によると、汎用性が高く、しかも、対象となる水栓や水栓設備の使用者（使用者層）に変更を生じても、瞬時に対応できるホースストッパが得られる。
【発明を実施するための最良の形態】
【００３５】
次に、本各発明に係わる「ホースストッパ（以下、「ストッパ」という。）」の最良の形態（以下、「実施例」という。）を図面に従って詳細に説明する。
【００３６】
本実施例では、ストッパ５０の詳細な説明に先立ち、適用対象となる水栓１等の概略について、図１及び図２を用いて簡単に説明する。この水栓１は、デッキ部（台部）２に設置して使用されるデッキタイプの水栓１である。この水栓１は、デッキ部（台部）２上に設置される水栓本体１０と、水栓本体１０の上方に設置される操作部（操作レバー）１９と、シャワーヘッド２０と、ホース３０とを備えている。
【００３７】
ここで、デッキ部（台部）２は設置部の具体例を構成する。そして、デッキ部（台部）２の下方に収納部３が設けられている。また、デッキ部（台部）２には、表裏面（上下面）を貫通する貫通孔２ａ（図２を参照）が設けられている。尚、この水栓１（ひいては、シャワーヘッド２０）を使用者が使用する空間５（以下、「使用空間５」といい、浴室内の空間、洗面所内の空間、台所内の空間等を例示できる。）は、デッキ部（台部）２の表側（上面部側）に位置している。そして、この使用空間５は、水栓本体１０の内部空間（後述する挿通部Ｓ）と、貫通孔２ａとを通じて収納部３に連絡されている。
【００３８】
水栓本体１０は、略円柱型の外形を備える基体部１１と、基体部１１の外周面においてその下方側の部位から上がり傾斜状に突出する支持部１５と、を備えている。また、水栓本体１０は、基体部１１の下面部１１ａ（図２を参照）によって貫通孔２ａに蓋するような状態で、デッキ部（台部）２上に搭載されている。更に、水栓本体１０の上方側には、開閉弁１８が内蔵されている（図２を参照）。この開閉弁１８としては、例えば、湯と水の混合と、吐止水の選択と、吐水量の調節を行うための摺動弁を例示できる。また、操作部（操作レバー）１９は、開閉弁１８に操作を施すために使用される。
【００３９】
基体部１１の下面部１１ａからは、開閉弁１８から流出する湯水（開閉弁１８で所望の温度に調温された湯水、若しくは、本水栓１の１次側の調温部で、所望の温度に調温された湯水）を、デッキ部（台部）２の下方に到達させるための流出管１２が垂下している。つまり、この流出管１２の端末部は、貫通孔２ａを通じて、デッキ部（台部）２の下方に到達している。
【００４０】
支持部１５は、略筒形状に構成されると共に、その上端部１５ａ側の内壁面に雌型のセレーション１５ｂが設けられている。また、支持部１５の内部空間１５ｃは、支持部１５の上端部１５ａで、水栓本体１０の外部に開放されると共に、下端部１５ｄで、基体部１１の内部空間１３と連通している。更に、基体部１１の内部空間１３の下端部は、基体部１１の下面部１１ａにおいて下方に開放されている。このため、支持部１５の内部空間１５ｃは、基体部１１の内部空間１３と貫通孔２ａとを介して収納部３に連絡されている。
【００４１】
シャワーヘッド２０の基端部には、前述の「雌型のセレーション１５ｂ」とセレーション嵌合可能な「雄型のセレーション部２１」が設けられ、支持部１５の上端部１５ａに対して着脱自在となっている。このシャワーヘッド２０は、吐水具の具体例を示すものである。
【００４２】
シャワーホース３０は、可撓性を備えるフレキシブルホースである。そして、可撓性を備えるパイプ状のホース本体（図示を省略）と、その外周面を包囲するメタル部３１とを備えている。このメタル部３１は、図８（ｂ）に示すように、略蛇腹状の外形を備えると共に、凹部３２と突部３３とをシャワーホース３の軸心方向に沿って交互に配置している。尚、凹部３２及び突部３３は、何れも、ホース本体を、斜め傾斜状に旋回する経路を描いている。
【００４３】
このシャワーホース３０は、流出管１２の端末部と、シャワーヘッド２０の基端部とを連絡するために用いられる。具体的には、シャワーホース３０の始端部（上流側の端部）は、接続部材８０を介して流出管１２の端末部と接続されている。また、シャワーホース３０の端末部（下流側の端部）は、シャワーヘッド２０の基端部に接続されている。
【００４４】
本実施例では、このシャワーホース３０が、支持部１５の内部空間１５ｃと、基体部１１の内部空間１３と、貫通孔２ａとを通じて、収納部３に引き出し可能に収納されている。尚、本実施例では、支持部１５の内部空間１５ｃ及び基体部１１の内部空間１３によって、水栓本体１０の「挿通部Ｓ」の具体例を構成する。
【００４５】
本実施例では、シャワーヘッド２０の雄型のセレーション２１を、支持部１５の雌型のセレーション１５ｂにセレーション嵌合させ、シャワーヘッド２０を支持部１５に支持すると、シャワーホース３０は、収納状態となる。つまり、シャワーホース３０のうちで、シャワーヘッド２０の近傍に位置する部分（以下、被挿入部」ということがある。）３０ａは、挿通部Ｓと貫通孔２ａに挿入された状態となり、シャワーホース３０のその他の部分３０Ａ（以下、「被収納部３０Ａ」ということがある。）が収納部３に収納された状態となる。
【００４６】
そして、デッキ部（台部）２の前方等に位置する使用者が、シャワーヘッド２０を自己の方向に引き寄せると（図２の破線を参照）、収納部３内に収納されたシャワーホース３０（被収納部３０Ａ）が、被挿入部３０ａと共に、使用者の側に引き出される。
【００４７】
本実施例においては、貫通孔２ａの下方にガイド部材４０が配設されている。このガイド部材４０は、上端及び下端で開口する略筒形状に構成されると共に、その軸心を上下に向けつつ、その内部空間にシャワーホース３０を挿通させている。ここで、シャワーホース３０において、デッキ部（台部）２の下方に収納される被収納部３０Ａは、１次側の端部（始端部）３０Ｂが上方を向きつつ、接続部材８０に接続され、２次側の端部３０Ｃが上方を向きつつ、貫通孔２ａに到達している。また、この被収納部３０Ａのうちで、両端部３０Ｂ、３０Ｃの中間に位置する部位は、デッキ部（台部）２の下方に略Ｕ字状に垂れ下がる「垂れ下がり部３０Ｄ」を構成している。そして、被収納部３０Ａのうちで、２次側の端部３０Ｃの近傍に位置する部位が、ガイド部材４０に挿通されている。
【００４８】
本実施例では、このガイド部材４０の下端部４１によって「当接部」の具体例を構成する。また、本実施例では、このガイド部材４０の側面から、固定部４３を突出させ、この固定部４３を、デッキ部（台部）２の下方の被取付面（壁面等）Ｈに固定することで、ガイド部材４０をデッキ部（台部）２の下方に固定している。また、固定部４３には接続部材８０を把持するための把持部（例えば、クランプ状のもの）４３ａが設けられている。そして、この把持部４３ａで接続部材８０を把持することで、ガイド部材４０の取付安定性が高められている。
【００４９】
尚、このガイド部材４０を、デッキ部（台部）２の下方に配置するための方法は特に問わない。例えば、固定部４３を接続部材８０に固定することのみによって、ガイド部材４０をデッキ部（台部）２の下方に固定してもよいし、ガイド部材４０を、デッキ部（台部）２の裏面（下面）に直接、若しくは、取付ステーを介して間接に固定することによって、ガイド部材４０をデッキ部（台部）２の下方に固定してもよい。
【００５０】
本実施例では、前述の「垂れ下がり部３０Ｄ」の中間部に、ストッパ５０が装着されている。そして、図２の破線に示すように、デッキ部（台部）２の前方等に位置する使用者が、シャワーヘッド２０を自己の方向に引き寄せると、収納部３内に収納されたシャワーホース３０が、使用者の側に引き出される。このとき、被収納部３０Ａが、その２次側の部分（２次側の端部３０Ｃ寄りの部分）を先頭に挿通部Ｓに進入する。これにより、ストッパ５０も挿通部Ｓの方向に移動し、このストッパ５０がガイド部材４０に当接したところで、シャワーホース３０の引き出しが禁止される。
【００５１】
次に、ストッパ５０について、図３〜図８を用いて詳細に説明する。このストッパ５０は、樹脂（ＰＰ等の適度な弾性を持った樹脂）を用いて構成した一体成形品（重量；６グラム）であると共に、全体形状が略筒形状（詳しくは、両端が開口部とされた略樽型形状）とされている。そして、ストッパ５０の外径は、ガイド部材４０の内径よりも大きくされている。このため、ストッパ５０は、ガイド部材４０の内部空間を通過不可能とされている。このストッパ５０は、図３に示すように、相互に略鏡面対称な形状を備える２つの分割体部５１、５２と、両分割体部５１、５２を分離不能な状態に接続する接続部５３と、を備えている。尚、以下の説明において、両分割体部５１、５２のうちの一方を第１の分割体部５１と称し、他方を第２の分割体部５２と称することがある。
【００５２】
両分割体部５１、５２は、図３及び図４に示すように、略半筒形体（以下、略筒状体を、軸心を通過する仮想的な面で分割して構成される分割体の意味で用いる。）を用いて構成されている。そして、両分割体部５１、５２は、軸心方向に略半円柱状の溝５１ａ、５２ａを備えている。また、両分割体部５１、５２は、その溝５１ａ、５２ａの両脇に、平滑面５１ｃ、５１ｄ、５２ｃ、５２ｄを配置した構成を備える。また、接続部５３は、両分割体部５１、５２の一方の平滑面（以下、「内側平滑面」という。）５１ｃ、５２ｃの外縁部間に掛け渡されると共に、その中間部において屈曲可能とされている。このため、両分割体部５１、５２若しくは一方の分割体部５１（５２）を、接続部５３の中間部を支点に回転させること（折り返すこと）が可能となっている。尚、以下の説明において、両分割体部５１、５２の他方の平滑面５１ｄ、５２ｄを「外側平滑面５１ｄ、５２ｄ」と称することがある。
【００５３】
図５（ａ）及び（ｂ）に示すように、両分割体部５１、５２の内側平滑面５１ｃ、５２ｃ同士を近接させると共に、外側平滑面５１ｄ、５２ｄ同士を近接させると、両分割体部５１、５２によって、ストッパ５０の使用形状（略筒形状）が構成される。このとき、両分割体部５１、５２の溝５１ａ、５２ａが対向状態となり、略円柱型の空間部５４を構成する｛図５（ｂ）参照｝。
【００５４】
尚、以下の説明においては、両分割体部５１、５２の内側平滑面５１ｃ、５２ｃ同士と、外側平滑面５１ｄ、５２ｄ同士を近接させ、両分割体部５１、５２によって略筒形状を構成すること（ストッパ５０の使用形状を構成すること）を「両分割体部５１、５２を閉合する」と称することがある。逆に、略筒形状を構成している両分割体部５１、５２において、両分割体部５１、５２の内側平滑面５１ｃ、５２ｃ同士と、外側平滑面５１ｄ、５２ｄ同士を離間させることを、「両分割体部５１、５２を展開する」と称することがある。
【００５５】
図３に示すように、第１の分割体部５１の「外側平滑面」５１ｄには、挿入孔５１ｅが設けられている。また、第２の分割体部５２の「外側平滑面」５２ｄにおいて、挿入孔５１ｅに位置合わせされる部位（両分割体部５１、５２を閉合したときに、位置合わせされる部位）からは係止突起５２ｅが突出している。この係止突起５２ｅは、先端側にフック部５２ｍを備えつつ、外側平滑面５２ｄから略片持ち梁状に突出している。このフック部５２ｍは、略直角三角形状の断面を備えつつ、外側平滑面５２ｄと遠ざかる方向と、第２の分割体部５２の外周部の方向とに頂点を向けている。また、このフック部５２ｍは、第２の分割体部５２の外周部の側に傾斜面５２ｎを設けている。
【００５６】
尚、このフック部５２ｍは、後述するように、外側平滑面５１ｄのうちで、挿入孔５１ｅの周縁側の部位５１ｍ（第１の分割体部５１の外周部方向に位置する周縁側の部位５１ｍ）に係止される。かかる部位５１ｍは、薄肉の略板形状を備えているが、以下の説明においては、この部位５１ｍを、「被係止部５１ｍ」と称することとする。
【００５７】
第１の分割体部５１の「内側平滑面」５１ｃからは、案内突起５１ｆが突出している。また、第２の分割体部５２の「内側平滑面」５２ｃにおいて、案内突起５１ｆに位置合わせされる部位（両分割体部５１、５２を閉合したときに、位置合わせされる部位）には、案内穴５２ｆが設けられている。更に、第１の分割体部５１の「外側平滑面」５１ｄにおいて、溝５１ｅに近接する部位からは、当接突起５１ｇが突出している。
【００５８】
そして、図５（ａ）及び（ｂ）に示すように、両分割体部５１、５２を閉合しようとすると、案内突起５１ｆが案内穴５２ｆに挿入されつつ、係止突起５２ｅが挿入孔５１ｅに挿入される。このとき、係止突起５２ｅのフック部５２ｍは、先ず、その先端部を挿入孔５１ｅに進入させる。このとき、フック部５２ｍの先端部は、挿入孔５１ｅを取り囲む壁面のうちで、「被係止部５１ｍ側の部位」に接触する。そして、フック部５２ｍの進入量を増加させると、フック部５２ｍは、その傾斜面５２ｎを、この「被係止部５１ｍ側の部位」に摺動させるため、係止突起５２ｅは、ストッパ５０の軸心方向に湾曲するように撓む｛図５（ａ）の矢印Ａの方向に撓む｝。
【００５９】
このため、フック部５２ｍは挿入孔５１ｅを通過し、被係止部５１ｍの裏面側（第１の分割体部５１と近接する側を表面側とする。）に回り込む。そして、このフック部５２ｍが、被係止部５１ｍの裏面側に到達したところで、係止突起５２ｅが変形前の状態に復帰し、フック部５２ｍの裏面の係止面５２ｐが被係止部５１ｍの裏面に当接する。これにより、フック部５２ｍが、被係止部５１ｍに弾性的に係止された状態となる｛図５（ｂ）｝。
【００６０】
このように、フック部５２ｍが被係止部５１ｍに係止されると、両分割体部５１、５２が不用意に展開することが防止される。尚、本実施例では、両分割体部５１、５２を閉合したときに、当接突起５１ｇの突端部と、外側平滑面５２ｄとが当接する。このため、ストッパ５０を使用形状としたとき（両分割体部５１、５２を閉合したとき）に、両内側平滑面５１ｃ、５２ｃの間と、両外側平滑面５１ｄ、５２ｄの間と、には隙間部が形成される。
【００６１】
図４に示すように、両分割体部５１、５２の溝５１ａ、５２ａの内壁面には、各々略円弧状の固定用突起５１ｋ、５２ｋが設けられている。これらの固定用突起５１ｋ、５２ｋは、軸心を傾斜させた状態に設けられている。そして、両分割体部５１、５２を閉合すると、図５（ｂ）に示すように、ストッパ５０の空間部５４を略周回する突起部Ｋを構成する。
【００６２】
両分割体部５１、５２は、図６（ａ）〜（ｃ）に示すように、外周部（両分割体部５１、５２の閉合時に外周に位置する部分）に、各々２つずつの取付部５５を備えている。つまり、これらの取付部５５は、ストッパ５０を使用状態としたときに、軸心を周回する方向に沿って、略等間隔に位置するように設けられている。
【００６３】
各取付部５５は、両分割体部５１、５２（ストッパ５０）の軸心方向に沿って、３つの保持部５５ｅ、５５ｄ、５５ｆを略等間隔に並べた構成を備える。ここで、図６（ｂ）は、最上方の保持部５５ｅを説明するための断面図であり、図６（ｃ）は、上下方向中間部の保持部５５ｄを説明するための断面図である。尚、最下方の保持部５５ｆの断面形状は、最上方の保持部５５ｅの断面形状と略同じであるため、この保持部５５ｆの詳細についての図示を省略する。
【００６４】
何れの保持部５５ｅ、５５ｄ、５５ｆも、略円弧状（略Ｃの字状）の保持面（直径；８ｍｍ）５５Ａを備えている。また、何れの保持部５５ｅ、５５ｄ、５５ｆにおいても、ストッパ５０の半径方向に沿った外側の部位が切り欠き部５５Ｂとされている。そして、両分割体部５１、５２が、弾性素材（例えば、ＰＰ）を用いて構成されるため、何れの保持部５５ｅ、５５ｄ、５５ｆも、切り欠き部５５Ｂの幅（ストッパ５０の周方向に沿った幅）を弾性的に拡大することが可能とされている。
【００６５】
各取付部５５において、上下方向に沿った両端側の位置には、離脱防止用突起５７が設けられている。具体的には、最上方の保持部５５ｅの壁面（保持面５５Ａ）と、最下方の保持部５５ｆの壁面（保持面５５Ａ）との各々において、ストッパ５０の中心側に位置する部位からは、略板状の離脱防止用突起５７が突出している。そして、図７（ａ）に示すように、各取付部５５において、上下の離脱防止用突起５７に挟まれた部位（幅約；２０ｍｍの部位）が、後述する錘部材７０の「取付箇所」を構成する。尚、この離脱防止用突起５７は、離脱防止部の具体例を構成するものである。また、本実施例では、離脱防止部を略扇型の平面形状を備える板状部によって構成したが、請求項８の発明の「離脱防止部」の態様はこれに限定されない。例えば、保持部の壁面から突出する「略円弧状の板状部」や、保持部の壁面から突出する「突起部（略三角錐形状、略円錐形状、略半球形状、略円柱形状、略角柱形状等の突起部）」等によって、「離脱防止部」を構成してもよい。よって、本実施例に示す具体例においては、最上方の保持部５５ｅの壁面（保持面５５Ａ）と、最下方の保持部５５ｆの壁面（保持面５５Ａ）から突出する「略円弧状の板状部」によって、「離脱防止部」を構成することもできる。更に、最上方の保持部５５ｅの壁面（保持面５５Ａ）と、最下方の保持部５５ｆの壁面（保持面５５Ａ）から突出する「突起部」によって「離脱防止部」を構成することもできる。
【００６６】
錘部材７０は、図３等に示すように、略円柱状の金属棒を用いて構成される（重量；１０グラム、直径；８ｍｍ、長さ；２０ｍｍ）。この錘部材７０の外径は、保持面５５Ａの直径と略等しくされている（クリアランスがない状態とされている）ため、錘部材７０を各保持部５５ｅ、５５ｄ、５５ｆを保持する際には、各保持部５５ｅ、５５ｄ、５５ｆには、所定の弾性変形（切り欠き部５５Ｂの幅を拡大するような弾性変形）を加えることが必要である。また、錘部材７０の全長は、各取付部５５の上下に設けられた離脱防止用突起５７間の距離と等しいか、僅かに短くされている。
【００６７】
この錘部材７０は、以下のように、ストッパ５０に取り付けられる。先ず、錘部材７０を最上方の離脱防止用突起５７の真上に配置した後、この錘部材７０を取付部５５に押し込む（図３の矢印Ｂを参照。尚、錘部材７０を、最下方の離脱防止用突起５７の真下に配置した後、この錘部材７０を取付部５５に押し込んでもよい。）。このように、錘部材７０を取付部５５に押し込むと、図７（ｂ）に示すように、最上方の保持部５５ｅに、切り欠き部５５Ｂの幅を拡大するような弾性変形が生ずる。そして、錘部材７０は、その外周面を「最上方の離脱防止用突起５７」の突端面に摺動させつつ、取付部５５の更により下方の部位に進入する。続いて、この錘部材７０は、中間部の保持部５５ｄを、その切り欠き部５５Ｂの幅を拡大するように弾性変形させつつ、取付部５５の更により下方の部位に進入する。そして、最下方の保持部５５ｆを、その切り欠き部５５Ｂの幅を拡大するように、弾性変形させつつ、取付部５５の更により下方の部位に進入する。この後、錘部材７０が、上下の離脱防止用突起５７で囲まれた空間（配置箇所）に進入したところで、錘部材７０の取り付けを完了する。
【００６８】
これにより、錘部材７０は、上下に配置された３つの保持部５５ｅ、５５ｄ、５５ｆによって弾性的に把持された状態となる。しかも、錘部材７０の上端部の上方と、下端部の下方には、離脱防止用突起５７が配置され、錘部材７０の軸方向に沿った移動が禁止されると共に、切り欠き部５５Ｂの幅が錘部材７０の直径よりも狭くされているため、錘部材７０は取付部５５に確実に保持された状態となる。
【００６９】
尚、この錘部材７０は、次のように、ストッパ５０に取り付けることもできる。つまり、図８（ａ）に示すように、錘部材７０の側面部を、３つの保持部５５ｅ、５５ｄ、５５ｆの切り欠き部５５Ｂと位置合わせする。しかも、錘部材７０を、上下の離脱防止用突起５７、５７で挟まれた空間部（つまり、錘部材７０の取付箇所）と同一の高さに配置する。この状態で、錘部材７０を、３つの保持部５５ｅ、５５ｄ、５５ｆの切り欠き部５５Ｂの方向に移動させて押し込むと、３つの保持部５５ｅ、５５ｄ、５５ｆは、その切り欠き部５５Ｂの幅を拡大するように弾性変形する。これにより、３つの保持部５５ｅ、５５ｄ、５５ｆは、錘部材７０を横方向から受け入れることが可能となる。そして、錘部材７０が保持部５５ｅ、５５ｄ、５５ｆに受け入れられると、保持部５５ｅ、５５ｄ、５５ｆは元の形状を復元する。このため、錘部材７０は、上下に配置された３つの保持部５５ｅ、５５ｄ、５５ｆによって弾性的に把持された状態となる。
【００７０】
尚、錘部材７０のストッパ５０に対する着脱は、両分割体部５１、５２を閉合した状態で行っても、両分割体部５１、５２を展開した状態で行ってもよい。更に、ストッパ５０を、ホース３０に取り付けた状態で行っても、取り外した状態で行ってもよい。
【００７１】
次に、ストッパ５０の施工例を説明する。先ず、施工業者や水栓１の使用者等は、本水栓１の使用者層等を考慮して、ストッパ５０に錘部材７０の取り付けるか否かを決定する。また、錘部材７０の取り付ける場合には、本水栓１の使用者層等を考慮し、ストッパ５０へ取り付ける錘部材７０の数を選択する。
【００７２】
具体的には、ストッパ５０の使用パターンとして、（１）錘部材７０をストッパ５０に一切取り付けない「第１の使用パターン（総重量；６グラムの使用パターン）」と、（２）錘部材７０をストッパ５０に１つ取り付ける「第２の使用パターン（総重量；１６グラムの使用パターン）」と、（３）錘部材７０をストッパ５０に２つ取り付ける「第３の使用パターン（総重量；２６グラムの使用パターン）」と、（４）錘部材７０をストッパ５０に３つ取り付ける「第４の使用パターン（総重量；３６グラムの使用パターン）」と、（５）錘部材７０をストッパ５０に４つ取り付ける「第５の使用パターン（総重量；４６グラムの使用パターン）」と、のうちの何れかを選択できる。つまり、錘部材７０の使用、不使用を選択したり、錘部材７０の使用数を選択することで、１つのストッパ５０を、重量の異なる５種類のストッパ５０として用いることができる。
【００７３】
このように、ストッパ５０の使用パターンを選択した後、ストッパ５０をシャワーホース３０の所望の部位（垂れ下がり部３０Ｄの中間部）に装着する。この装着は、両分割体部５１、５２でシャワーホース３０を挟み込むようにしつつ、両分割体部５１、５２の対応する平滑面（５１ｃ及び５２ｃ、５１ｄ及び５２ｄ）を近接させ、両分割体部５１、５２によって略筒形状を構成すると共に、係止突起５２（先端部５２ｍ）を、「被係止部５１ｍ」に係止することによって行われる。
【００７４】
これにより、ストッパ５０の空間部５４にシャワーホース３０の所望の部位（垂れ下がり部３０Ｄの中間部）が挿入された状態となる。このとき、ストッパ５０の内壁面（両分割体部５１、５２の溝５１ａ、５２ａの内壁面）から突出する固定用突起５１ｋ、５２ｋ（突起部Ｋ）が、シャワーホース３０の凹部３２にはめ込まれ、ストッパ５０とシャワーホース３０とが一体化される。つまり、ストッパ５０が、シャワーホース３０の軸心方向に沿って移動することが禁止される。これにより、ストッパ５０のシャワーホース３０への装着を完了する。
【００７５】
以上のように、本実施例では、ストッパ５０の使用パターンを選択することで、ストッパ５０（錘部材７０付きストッパ５０）の重量を調節できる。よって、本ストッパ５０は、汎用性が高く、種々の使用状況に瞬時に対応できる。また、本ストッパ５０が樹脂を用いた一体成形品であるため、その製造や取り扱いが容易である。また、取付部５５が離脱防止用突起５７を備えるため、ストッパ５０の利便性が更に一層、向上している。
【００７６】
更に、本実施例のストッパ５０によると、水栓１の設置後に、事情変更（使用者層等の変更等）があった場合にも、ストッパ５０の使用パターンを変更することで、事情変更（使用者層等の変更等）に的確に対応できる。例えば、賃貸住宅等において、賃貸人の変更があった場合（例えば、老人から青年男子に変わった場合）に、ストッパ５０に取り付ける錘部材７０の数を増加することで、瞬時に対応することができる。
【００７７】
尚、本各発明の範囲は前記各実施例に示す具体的な態様に限定されず、本各発明の範囲内で種々の変形例を例示できる。
【００７８】
即ち、本実施例では、ストッパ５０の内壁面の固定用突起５１ｋ、５２ｋと、シャワーホース３０の凹部３２との係合によって、ストッパ５０をシャワーホース３０に固定したが、ストッパ５０をシャワーホース３０に固定するための手法はこれに限定されない。例えば、ストッパ５０において、シャワーホース３０と接触する部位の面粗度を高めて、ストッパ５０とシャワーホース３０との間の摩擦抵抗を高め、ストッパ５０をシャワーホース３０に固定してもよい。また、磁力等を用いて、ストッパ５０をシャワーホース３０に固定してもよい。更に、ホースの外周部をゴム等で構成する場合には、ストッパ５０において、シャワーホース３０と接触する部位に先の尖った突起を設け、この突起をホースの外周部に食い込ませてストッパ５０をシャワーホース３０に固定してもよい。
【００７９】
また、本実施例では、ストッパ５０を、シャワーホース３０の外周面を略周回する略筒形状に構成したが、ストッパ５０の形状はこれに限定されない。例えば、ストッパ５０をシャワーホース３０の外周面を略半周回する半筒状体（実施例の分割体部５１、５２のようなもの）によって、ストッパ５０を構成することもできる。更に、本実施例のストッパ５０では、同一のサイズ、形状の取付部５５を複数箇所備えていたが、各請求項の発明では、ストッパに異なるサイズ、形状の取付部を設けてもよい。かかる場合、きめ細かな間隔にて、ストッパ５０の重量を調節することもできる。また、請求項１〜請求項５の発明においては、錘部材に係止手段や係合手段（例えば、フック、磁性体等）等を設け、この係止手段や係合手段を用いて、錘部材をストッパ５０に固定してもよい。
【産業上の利用可能性】
【００８０】
本発明は、例えば、水栓の製造、販売、施工、加工等を行う分野で利用可能である。
【図面の簡単な説明】
【００８１】
【図１】実施例の水栓とストッパ等の斜視図である。
【図２】実施例の水栓とストッパ等の縦断面図である。
【図３】本実施例のストッパ及び錘部材の斜視図である。
【図４】両分割体部を展開した状態を説明するための説明図（正面図）である。
【図５】（ａ）及び（ｂ）は、両分割体部の閉合を説明するための説明図である。
【図６】（ａ）は両分割体部を展開した状態を説明するための説明図（背面図）、（ｂ）は図６（ａ）の５−５断面図、（ｃ）は図６（ａ）の６−６断面図である。
【図７】（ａ）は錘部材と離脱防止用突起等を説明するための概略的な縦断面図  （ｂ）及び（ｃ）は錘部材の取付方法を説明するための概略的な横断面図である。
【図８】（ａ）は錘部材の取付方法を説明するための概略的な横断面図、（ｂ）はストッパのホース（シャワーホース）に対する取付状態を説明するための説明図である。
【符号の説明】
【００８２】
１；水栓、
１０；水栓本体、
３０；シャワーホース（ホース）、
５０；ストッパ、
５５；取付部。
【図１】
2006207255.tif 000003
【図２】
2006207255.tif 000004
【図３】
2006207255.tif 000005
【図４】
2006207255.tif 000006
【図５】
2006207255.tif 000007
【図６】
2006207255.tif 000008
【図７】
2006207255.tif 000009
【図８】
2006207255.tif 000010